(57)【要約】【課題】ビル管理においてエアコンの噴き出し口などのように高所に配置される部位、部材を掃除機で安全に作業性よく清掃できる脚立を得る。【解決手段】一対の支柱２に間隔をおいて配設された踏段４を備え、踏段４の一対がそれぞれ天板５に対して回動可能に取り付けられた脚立において、少なくとも一本の支柱２の内部には管状部９が設けられている。また、この管状部９の下部には、掃除機１０の本体側の吸い込みホース１１と接続するための下部接続部１２が設けられ、上部には掃除機１０の吸い込みホース１３と接続するための上部接続部１４が設けられている。【選択図】図３
2010216077.tif 000002
【特許請求の範囲】
【請求項１】
一対の支柱に間隔をおいて配設された踏段を備え、前記踏段の一対がそれぞれ天板に対して回動可能に取り付けられた脚立において、
前記支柱の少なくとも一つに管状部を形成し、前記管状部の下部に掃除機の本体側と接続する下部接続部を設けるとともに、前記管状部の上部に前記掃除機の吸い込みホースと接続する上部接続部を設けたことを特徴とする脚立。
【請求項２】
前記下部接続部と前記上部接続部の間に電気的通電部を形成し、前記電気的通電部を介して、前記掃除機を動作させることを特徴とする請求項１に記載の脚立。
【請求項３】
前記下部接続部は接続口が水平方向を向くように構成され、前記上部接続部は接続口が上方向を向くように構成されることを特徴とする請求項１または請求項２に記載の脚立。
【発明の詳細な説明】
【技術分野】
【０００１】
この発明は、一対の支柱に間隔をおいて配設された踏段を備え、前記踏段の一対がそれぞれ天板に対して回動可能に取り付けられた脚立に関するものである。
【背景技術】
【０００２】
高所作業に使用される脚立は、一般に、一対の支柱に間隔をおいて配設された踏段を備え、前記踏段の一対がそれぞれ天板に対して回動可能に取り付けられて構成されており、前記脚部を開いた状態で固定金具を用いて固定して使用される。そして、作業者は、踏段に足を掛けて上方に登り、所定の位置で作業を行う。
【０００３】
ところで、この脚立の脚部を開いたときに、最上段の踏段よりも上方に突出し、脚部を閉じたときには脚部間に収まるように構成されたパイプを備え、高所での作業を効率よく行えるようにした脚立が本発明者により提案されている。そして、この脚立の脚部を開いたときに、最上段の踏段よりも上方に突出するパイプの先端部に移動灯を引っかけて使用することにより、特に周囲が暗い場合でも作業所の明かりが十分に確保できる脚立が提案されている（例えば、特許文献１参照）。
【０００４】
また、脚立に登って電動工具を使用するにあたり、電動工具を電源に容易にかつ安全に接続でき、作業中の安全も確保できるように、脚立の下部にプラグ付き電線を設け、脚立の上部に前記電線に接続されたコンセントを設けた脚立が提案されている（例えば、特許文献２参照）。
【先行技術文献】
【特許文献】
【０００５】
【特許文献１】特開平８−３０３１６６号公報（要約の欄、段落００１８、図７）
【特許文献２】実開平４−１１６５９９号公報（実用新案登録請求の範囲の欄、図１）
【発明の概要】
【発明が解決しようとする課題】
【０００６】
前記特許文献１に開示された提案は、周囲が暗い場合に作業所の明かりを確保するもので、脚立に登った作業者が移動灯を持つ必要をなくしたものであり、また前記特許文献２に開示された提案は、脚立の脚部内を電線の配線路として使用するものであって、何れも電気機械器具への電気配線を考慮したものである。
【０００７】
この発明は、前記従来技術とは異なる観点から創案されたものであって、ビル管理においてエアコンの噴き出し口などのように高所に配置される部位、部材を掃除機で安全に作業性よく清掃できる脚立を提供するものである。
【課題を解決するための手段】
【０００８】
この発明に係る脚立は、一対の支柱に間隔をおいて配設された踏段を備え、前記踏段の一対がそれぞれ天板に対して回動可能に取り付けられた脚立において、前記支柱の少なくとも一つに管状部を形成し、前記管状部の下部に掃除機の本体側と接続する下部接続部を設けるとともに、前記管状部の上部に前記掃除機の吸い込みホースと接続する上部接続部を設けたものである。
【発明の効果】
【０００９】
この発明に係る脚立によれば、高所に配置される部位、部材を掃除機で安全に作業性よく清掃できる効果がある。
【図面の簡単な説明】
【００１０】
【図１】この発明の実施例１に係る脚立の正面図である。
【図２】この発明の実施例１に係る脚立の側面図である。
【図３】この発明の実施例１に係る脚立の使用状態を示す側面図である。
【発明を実施するための形態】
【００１１】
以下、添付の図面を参照して、この発明に係る脚立について好適な実施例を説明する。なお、この実施例によりこの発明が限定されるものではない。
【実施例１】
【００１２】
図１は、この発明の実施例１に係る脚立を示す正面図で、図２はその側面図である。図１および図２において、脚立１は、図１に示す正面から見て左右一対の支柱２と、この左右一対の支柱２に渡して止められる複数の踏段３を有する一対の脚部４を前後に備えている。そして、この一対の脚部４の上端部同士が相互に天板５に回動可能に連結されて構成されるとともに、両脚部４の開きを止める開き止め金具６を備えている。
【００１３】
支柱２、踏段３、および天板５は、例えばアルミニウム押出形材で構成されている。支柱２および踏段３は、それぞれ横断面四角形に形成され、その表面全面に陽極酸化被膜からなる電気絶縁層が形成されている。この電気絶縁層は、例えば電解質としてしゅう酸を使用するアルマイト法により形成される。踏段３の端部は、支柱２の内部凹部に嵌め込まれた状態で、例えばリベット（図示せず）により止められている。このリベットはアルミニウム製であって、その表面にポリ塩化ビニール樹脂を溶融固化させることにより形成された電気絶縁層を有している。また、天板５の表面にも、例えばポリエチレン樹脂製収縮チューブからなる電気絶縁層が形成されている。
【００１４】
開き止め金具６は、一端部がピン７により支柱２に回動可能に連結され、他端部が支柱２に設けられたピン８に着脱自在に係合するように構成されている。なお、開き止め金具６およびピン８は鋼製であって、これらの表面にも電気絶縁層が形成されている。また、開き止め金具６は例えば横断面Ｌ形に形成されている。
【００１５】
ところで、実施例１に係る脚立１は、横断面四角形に形成された少なくとも一本の支柱２の内部に管状部９が設けられている。管状部９は、例えば中空柱状体の樹脂製あるいは金属製パイプを支柱２に内蔵させて構成される。また、この管状部９の下部には、図３の使用状態で示すように、掃除機１０の本体側の吸い込みホース１１と接続するための下部接続部１２が設けられ、上部には掃除機１０の吸い込みホース１３と接続するための上部接続部１４が設けられている。なお、掃除機１０は市販されているもので良く、その吸い込みホース１１、１２の何れか一方は例えばその掃除機１０に適合した延長ホースであれば良い。
【００１６】
また、管状部９には、作業者が手元の吸い込みホース１３のスイッチ（図示せず）で掃除機１０をオン・オフ動作させるために電気的通電部（図示せず）が形成されている。即ち、下部接続部１２と上部接続部１４の間は、前記通電部を介して電気的に接続できる構成になっている。そして、下部接続部１２および上部接続部１４には、吸い込みホース１３のスイッチで掃除機１０をオン・オフ動作させるためのコンセント部が設けられる。なお、前記通電部は、表面が絶縁された電線を管状部９の内壁に沿って配線する構成にしてもよく、あるいは表面が絶縁された電気的導体を管状部９に沿って支柱２内に埋め込んで配線する構成にしてもよい。
【００１７】
また、下部接続部１１は接続口が水平方向を向くように構成されて、床面に置いた掃除機１０の吸い込みホース１１を接続し易くしており、上部接続部１４は接続口が天板５を貫通して上方向を向くように構成されて、吸い込みホース１３を接続して高所での清掃が容易になるように形成されている。
【００１８】
実施例１に係る脚立は前記のように構成されており、利用者は所望の位置に脚立１を配置して掃除機１０の吸い込みホース１１を下部接続部１２に接続し、吸い込みホース１３を上部接続部１４に接続して、手元スイッチをオン・オフすることにより機械的接続と電気的接続を確認した後、高所での清掃を実施する。その際、重い掃除機１０を持ち上げる必要がなく安定した姿勢で作業することができる。従って、掃除機１０により高所に配置される部位、部材を安全に作業性よく清掃できる効果がある。
【００１９】
なお、この発明を、前記特許文献１に開示された脚立のように、脚立の脚部を開いたときには最上段の踏段よりも上方に突出し、脚部を閉じたときには脚部間に収まるように構成されたパイプを備えた脚立に適用した場合には、より安定した作業が実施できる。
【符号の説明】
【００２０】
１  脚立
２  支柱
３  踏段
４  脚部
５  天板
６  開き止め金具
７、８  ピン
９  管状部
１０  掃除機
１１、１３  吸い込みホース
１２  下部接続部
１４  上部接続部
【図１】
2010216077.tif 000003
【図２】
2010216077.tif 000004
【図３】
2010216077.tif 000005